(57)【要約】【課題】  横材又は縦材に取り付けたカバーが外れることのない建築構造体を提供する。【解決手段】  横材と、縦材と、カバーとを備え、横材と縦材の一方の材の両端に他方の材を取り付けてあり、カバーは、一方の材を覆って他方の材の間に納まるものであって、長手方向端部に係合部を設けてあり、係合部は長手方向端部側に付勢してあり、他方の材に被係合部を設けてあり、係合部が被係合部に係合してカバーが取り付いている。【選択図】      図１
2015017479.tif 000002
【特許請求の範囲】
【請求項１】
横材と、縦材と、カバーとを備え、横材と縦材の一方の材の両端に他方の材を取り付けてあり、カバーは、一方の材を覆って他方の材の間に納まるものであって、長手方向端部に係合部を設けてあり、係合部は長手方向端部側に付勢してあり、他方の材に被係合部を設けてあり、係合部が被係合部に係合してカバーが取り付いていることを特徴とする建築構造体。
【発明の詳細な説明】
【技術分野】
【０００１】
本発明は、横材と縦材を組み、一方の材にカバーを取り付けた建築構造体に関する。
【背景技術】
【０００２】
横材１０１（一方の材）の両端に縦材１０２（他方の材）を取り付けて構成した建築構造体において、横材１０１と縦材１０２とを連結する略Ｌ字形の連結具１１２を覆い隠すため、断面略コ字形のカバー１０３で横材１０１を覆ったものがある。この際、横材１０１とカバー１０３の固定方法として、図８に示すように、横材１０１の上面及び下面にカバー受け１１３を取り付け、カバー１０３の内側に形成した突条１３４をカバー受け１１３に係合させて嵌め込んだものがあった。
【発明の概要】
【発明が解決しようとする課題】
【０００３】
しかしながら、このようにカバーを嵌め込みによって取り付けるだけでは、風圧力や外力が働いて横材がたわんだ際に、カバーが外れてしまうおそれがあった。
【０００４】
本発明は、上記事情を鑑みたものであり、横材又は縦材に取り付けたカバーが外れることのない建築構造体を提供することを目的とする。
【課題を解決するための手段】
【０００５】
本発明は、横材と、縦材と、カバーとを備え、横材と縦材の一方の材の両端に他方の材を取り付けてあり、カバーは、一方の材を覆って他方の材の間に納まるものであって、長手方向端部に係合部を設けてあり、係合部は長手方向端部側に付勢してあり、他方の材に被係合部を設けてあり、係合部が被係合部に係合してカバーが取り付いていることを特徴とする。なお、被係合部は、他方の材に直接形成するものであってもよいし、他方の材に固定した部材に形成するものであってもよい。
【０００６】
また、カバーの長手方向端部に目地塞ぎ材を取り付けてあり、目地塞ぎ材は、カバーと他方の材の間の隙間を塞ぐものであり、係合部を有していて、カバーの長手方向端部側に付勢してある構成としてもよい。
【０００７】
さらに、カバーは、断面略コ字形で、長手方向端部の内側に固定部材を取り付けてあり、固定部材は、台座部と、可動部と、弾性部材からなり、台座部は、カバーに固定してあり、可動部は、カバーの長手方向端部側に係合部を有しており、弾性部材により台座部と連結してあって、カバーの長手方向にスライド自在でありかつカバーの長手方向端部側に付勢してあり、可動部に目地塞ぎ材が取り付けてあり一体となって動く構成としてもよい。
【０００８】
また、台座部が、断面略コ字形のカバーの開口幅と略等しいガイド部を有する構成としてもよい。
【発明の効果】
【０００９】
本発明によれば、カバーの長手方向端部側に付勢された係合部が他方の材の被係合部に係合するので、カバーが確実に固定され、一方の材がたわんでもカバーが外れることはない。
【図面の簡単な説明】
【００１０】
【図１】第一実施形態を示し、（ａ）はカバーの分解状態の斜視図、（ｂ）はカバーの取り付けの説明図である。
【図２】第一実施形態のカバー端部の拡大図であり、（ａ）は分解状態、（ｂ）は組立状態である。
【図３】第一実施形態のカバー取付状態の一部透視斜視図である。
【図４】固定部材を示し、（ａ）は分解状態の斜視図、（ｂ）は弾性部材の取り付けの説明図、（ｃ）は組立状態の斜視図である。
【図５】第二実施形態を示し、（ａ）はカバーの分解状態の斜視図、（ｂ）はカバーの取り付けの説明図である。
【図６】第二実施形態のカバー端部の拡大図であり、（ａ）は分解状態、（ｂ）は組立状態である。
【図７】第二実施形態のカバー取付状態の一部透視斜視図である。
【図８】従来のカバーの取り付けの説明図である。
【発明を実施するための形態】
【００１１】
以下、本発明の実施の形態を図面に基づいて説明する。本発明の建築構造体には、横材と縦材を組んで構成した種々のものを含むが、ここでは、横材（無目）と縦材（方立）を備えるサッシを例として挙げる。なお、以下においては、横材の長手方向を左右方向とし、横材にカバーが取り付く側を前側とする。このサッシの第一実施形態は、横材の両端に縦材を取り付けて組んだものである。図１に示すように、横材１の前側には断面略矩形の中空部１１を設けてあり、横材１の左右端部において中空部１１を切除してある。そして、横材１の中空部１１切除部分の見付面と、縦材２の見込面に略Ｌ字形の連結具１２をボルト止めして、横材１と縦材２とを連結してある。
【００１２】
そして、この連結具１２を覆い隠すため、横材１にカバー３を取り付けてある。カバー３は、断面略コ字形で、前側面３１と、上側面３２と、下側面３３からなり、後側に向けて開口している。上側面３２及び下側面３３の内周側（上側面３２の下面及び下側面３３の上面）の後側端には、左右方向に延びる突条３４を形成してあり、突条３４の前側には、左右に平行に延びる二本のリブ３５を形成してある。一方、横材１の中空部１１の上面及び下面には、左右方向の複数箇所に、カバー受け１３をネジ止めして取り付けてある。カバー受け１３は、中空部１１の後側端部に位置しており、その後端に突起部１４を有している。
【００１３】
また、カバー３の両端部には、固定部材７を取り付けてある。固定部材７は、図１、図２及び図４に示すように、台座部８と、可動部９と、弾性部材１０からなり、さらに目地塞ぎ材６を取り付けてある。台座部８は、カバー３よりも小さい断面略コ字形で、前側面８１と、上側面８２と、下側面８３からなり、前側面８１と、上側面８２及び下側面８３とは、それぞれ縦材側（カバー３の長手方向端部側）端で連結されて一体となっている。前側面８１は、カバー側（縦材側の反対側）端部分の上下幅が長くなっており、その幅はカバー３の開口幅（上側面３２と下側面３３の間隔）に略等しく、この部分をガイド部８４としてある。また、台座部８の上側面８２と下側面８３は同じ形状であって、略矩形でその見込幅はカバー３の二本のリブ３５の間隔に略等しい。そして、上側面８２及び下側面８３の中央部には、左右方向に平行に延びる二本の溝と、その間に直交する一本の溝からなるＨ字形の取付溝８５を形成してある。さらに、上側面８２及び下側面８３の縦材側には、矩形の切欠部８６を形成してある。一方、可動部９は、上下に二つ設けてあり、矩形平板状で、その見込幅は台座部８の上側面８２及び下側面８３の見込幅に等しい。そして、可動部９の縦材側辺には、縦材側に延出する係合部４を形成してある。係合部４は、先端を先細形状とし、根元側に幅広部分を形成してあり、先端部を樹脂で覆ってある。また、可動部９の中央部には、Ｈ字形の取付溝９１を形成してあり、これは、台座部８の取付溝８５と同形である。さらに、目地塞ぎ材６は、カバー３よりも小さく台座部８よりも大きいコ字形の帯状の部材であり、後側に向けて開口していて、上側面と下側面の内周側にタッピングホール６１を形成してある。また、弾性部材１０は、コイルバネからなるものである。
【００１４】
これらの組み立てに際しては、まず、図４（ａ）に示すように、可動部９に形成した係合部４を、目地塞ぎ材６のタッピングホール６１に挿入すると、係合部４の幅広部分がタッピングホール６１の内周部に係合して、両者が固定される（図１（ａ）及び図２（ａ）は、説明のために目地塞ぎ材６のみを分離した状態の図としてある）。ここで、係合部４の左右方向長さは目地塞ぎ材６の左右方向幅よりも長く、係合部４は目地塞ぎ材６と一体でありかつ目地塞ぎ材６からさらに縦材側に突出しており、目地塞ぎ材６が係合部４を有する状態となっている。次に、一体となった可動部９及び目地塞ぎ材６に対して台座部８を組み合わせるが、この際、図４（ｂ）に示すように、目地塞ぎ材６の内周側に台座部８が位置し、台座部８の上側面８２及び下側面８３の内周側に、それぞれ上下の可動部９が位置する。そして、台座部８の上側面８２及び下側面８３の取付溝８５と、各可動部９の取付溝９１を一致させ、弾性部材１０を押し縮めて、一致させた両取付溝８５，９１の前後方向に延びる溝部分に挿入することで、図４（ｃ）に示すように、取付溝８５，９１に弾性部材１０が嵌め込まれて、台座部８と可動部９が連結される。この状態において、台座部８に対して可動部９は左右方向にスライド自在であって、可動部９は、弾性部材１０により縦材側に付勢されている。そして、可動部９に形成された係合部４及び可動部９に固定された目地塞ぎ材６も、可動部９と同様に、左右方向にスライド自在であって、縦材側に付勢されている。なお、目地塞ぎ材６をカバー側に押し込んだ際、タッピングホール６１は台座部８の切欠部８６に納まるので、両者が干渉することはない。
【００１５】
そして、このように構成した固定部材７及び目地塞ぎ材６を、カバー３の端部に取り付ける際には、台座部８の上側面８２及び下側面８３を、それぞれカバー３の上側面３２及び下側面３３に形成した二本のリブ３５の間に挿入することで、台座部８（固定部材７）がカバー３に対して前後方向に固定される。また、台座部８の前側面８１に形成したガイド部８４が、カバー３の上側面３２及び下側面３３に当接することで、台座部８（固定部材７）がカバー３に対して上下方向に固定され、所定の位置に位置決めされる。この状態において、固定部材７は、全体がカバー３内に納まり、目地塞ぎ材６は、カバー側の一部を除いて露出している。そして、目地塞ぎ材６を弾性部材１０の付勢力に抗してカバー側に押し込むと、目地塞ぎ材６は全体がカバー３内に納まり、係合部４のみがカバー３から突出した状態となる。なお、カバー３の左右方向端部において、突条３４及びリブ３５を切除してあり、台座部８及び目地塞ぎ材６が干渉することなくカバー３内に納まるようになっている。
【００１６】
このように構成したカバー３を、図１（ｂ）に示すように、前側から横材１に取り付ける。カバー３の左右方向長さは、熱伸び量を吸収するため、横材１の両端に取り付けた縦材２の間隔よりも短くなっているが、カバー３と、カバー３の両端に設けた目地塞ぎ材６を合わせた長さは、縦材２の間隔よりも長い。そこで、カバー３の両端の目地塞ぎ材６を、弾性部材１０の付勢力に抗してカバー３内に押し込みながら、カバー３を横材１に被せる。ここで、縦材２の見込面の、連結具１２の上下の位置には、孔を形成して被係合部５としてあるので、上下の被係合部５に、それぞれ上下の係合部４を嵌合させる。係合部４が被係合部５に嵌合すると、弾性部材１０の付勢力により目地塞ぎ材６がカバー３内から押し出されて、縦材２に当接する。また、それと同時に、カバー３を前側から押し込むと、カバー３の後側端に形成した突条３４が、横材１の中空部１１の上面及び下面に取り付けたカバー受け１３の突起部１４に当接する。そこからさらにカバー３を押し込むことで、カバー３が弾性変形して突条３４が突起部１４を乗り越えて両者が係合する。こうして、図３に示すように、カバー３の左右方向端部の係合部４が縦材２の被係合部５に係合し、カバー３の後側端の突条３４が横材１のカバー受け１３の突起部１４に係合することで、カバー３が横材１を覆って固定され、左右の縦材２の間に納まる。そして、目地塞ぎ材６が、カバー３と縦材２の間の隙間を塞ぐ。なお、カバー３の上側面３２及び下側面３３の内周側に形成したリブ３５が、横材１の中空部１１の上面及び下面に当接するので、横材１に対してカバー３が上下方向に固定されている。
【００１７】
このようなカバー３を有するサッシ（建築構造体）の第一実施形態は、カバー３の左右方向端部に設けた係合部４が縦材側に付勢されていて、これが縦材２の被係合部５に係合するので、カバー３が確実に固定され、横材１がたわんでもカバー３が外れることはない。また、断面コ字形のカバー３の内側に納まる目地塞ぎ材６により、カバー３と縦材２の間の隙間が塞がれ、係合部４や被係合部５が覆い隠されて、外部からはカバー３と目地塞ぎ材６のみが視認できるものとなるので、意匠性が良好である。さらに、取り付けの際には、係合部４をカバー側に押し込みながら、カバー３を横材１に被せるだけでよく、施工が容易である。この際、左右の一方の係合部４を縦材２に押し付けてカバー側に押し込みながら、他方の係合部４を手でカバー側に押し込むことで、一人でも取付作業を行うことができる。なお、係合部４の先端は樹脂で覆ってあるので、縦材２に押し付けても縦材２を傷つけることはない。また、取付状態において、目地塞ぎ材６が縦材２に当接していれば、間違いなく係合部４が被係合部５に嵌合していることになるので、カバー３が確実に固定されていることを、外部から目視により容易に確認できる。さらに、台座部８の上側面８２及び下側面８３を、カバー３の二本のリブ３５の間に挿入することで、台座部８がカバー３に対して前後方向に固定され、また、台座部８の前側面８１に形成したガイド部８４が、カバー３の上側面３２及び下側面３３に当接することで、台座部８がカバー３に対して上下方向に固定され、所定の位置に位置決めされるので、係合部４と被係合部５の位置ずれを生じることがなく、確実に正確な施工を行うことができる。
【００１８】
続いて、第二実施形態について説明する。第二実施形態も、第一実施形態と同様のサッシに関するものであるが、カバー３と縦材２の係合部分の構成が異なり、第一実施形態の台座部８に相当する部分が、カバー３と一体に形成されている。より詳しくは、図５（ａ）及び図６に示すように、カバー３の上側面３２及び下側面３３に形成した二本のリブ３５の間に、上側面３２及び下側面３３と平行な台座面８ａを形成してあり、この台座面８ａに、Ｈ字形の取付溝８５ａを形成してある。また、可動部９は第一実施形態と略同じもので、縦材側辺に係合部４を形成し、中央部にＨ字形の取付溝９１を形成してある。ただし、係合部４は、矩形である。そして、台座面８ａの取付溝８５ａと、可動部９の取付溝９１を一致させ、コイルバネからなる弾性部材１０を押し縮めて、一致させた両取付溝８５ａ，９１の前後方向に延びる溝部分に挿入することで、図６（ｂ）に示すように、取付溝８５ａ，９１に弾性部材１０が嵌め込まれて、台座面８ａと可動部９が連結される。この状態において、係合部４がカバー３から突出し、台座面８ａ（カバー３）に対して可動部９は左右方向にスライド自在であって、可動部９は、弾性部材１０により縦材側に付勢されている。また、目地塞ぎ材６も、第一実施形態と略同じコ字形の帯状の部材であるが、図５（ｂ）に示すように、これを予め縦材２の見込面にネジ止めしてある。この際の縦材２のネジ孔は、第一実施形態において被係合部５とされていた孔と共通するものであり、第一実施形態と第二実施形態において縦材２は全く同じものである。そして、第二実施形態においては、目地塞ぎ材６の上面及び下面に凹部を形成して、被係合部５としてある。
【００１９】
このように構成したカバー３を、図５（ｂ）に示すように、前側から横材１に取り付けるには、係合部４をカバー３内に押し込みながら、カバー３を横材１に被せ、上下の係合部４を、目地塞ぎ材６の上面及び下面に形成した被係合部５に嵌合させる。この際、目地塞ぎ材６のカバー側端はカバー３内に納まり、係合部４と、目地塞ぎ材６の上面及び下面は、面一となる。また、それと同時に、カバー３を前側から押し込むと、カバー３の後側端に形成した突条３４が、横材１の中空部１１の上面及び下面に取り付けたカバー受け１３の突起部１４に当接する。そこからさらにカバー３を押し込むことで、カバー３が弾性変形して突条３４が突起部１４を乗り越えて両者が係合する。こうして、図７に示すように、カバー３の左右方向端部の係合部４が縦材２に取り付けた目地塞ぎ材６の被係合部５に係合し、カバー３の後側端の突条３４が横材１のカバー受け１３の突起部１４に係合することで、カバー３が横材１を覆って固定され、左右の縦材２の間に納まる。そして、目地塞ぎ材６が、カバー３と縦材２の間の隙間を塞ぐ。なお、カバー３の上側面３２及び下側面３３の内周側に形成したリブ３５が、横材１の中空部１１の上面及び下面に当接するので、横材１に対してカバー３が上下方向に固定されている。
【００２０】
このようなカバー３を有するサッシ（建築構造体）の第二実施形態も、カバー３の左右方向端部に設けた係合部４が縦材側に付勢されていて、これが縦材２に取り付けた目地塞ぎ材６の被係合部５に係合するので、カバー３が確実に固定され、横材１がたわんでもカバー３が外れることはない。また、断面コ字形のカバー３の内側に納まる目地塞ぎ材６により、カバー３と縦材２の間の隙間が塞がれ、意匠性が良好である。さらに、取り付けの際には、係合部４をカバー側に押し込みながら、カバー３を横材１に被せるだけでよく、施工が容易である。
【００２１】
本発明は、上記の実施形態に限定されない。たとえば、係合部は、縦材側（カバーの長手方向端部側）に付勢されているものであればよく、カバーとの連結構造や、弾性部材の種類などは、どのようなものであってもよい。また、カバーは、横材（無目）ではなく縦材（方立）に取り付けるものであってもよい。さらに、本発明は、サッシのほか、横材と縦材を組んだ格子状のフェンスなど、種々の建築構造体を含むものである。
【符号の説明】
【００２２】
１  横材
２  縦材
３  カバー
４  係合部
５  被係合部
６  目地塞ぎ材
７  固定部材
８  台座部
９  可動部
１０  弾性部材
８４  ガイド部
【図１】
2015017479.tif 000003
【図２】
2015017479.tif 000004
【図３】
2015017479.tif 000005
【図４】
2015017479.tif 000006
【図５】
2015017479.tif 000007
【図６】
2015017479.tif 000008
【図７】
2015017479.tif 000009
【図８】
2015017479.tif 000010